(57)【特許請求の範囲】
【請求項１】
ネットワークを介して受信された売買対象となる商品の値、識別情報及び前記商品の値が得られた際の時刻を格納する商品データベースと、
前記商品データベースに格納された商品の値、識別情報及び時刻に基づいて、指定された商品についての商品チャート及びＭＡＣＤ(Moving Average Convergence Divergence)と、ＭＡＣＤの移動平均線であるシグナルとからなるチャートを生成する手段と、
前記生成されたチャートのＭＡＣＤ及びシグナルにおける商品の値、識別情報及び前記ＭＡＣＤ及びシグナルが生成された商品チャートの対応する商品の値が得られた際の時刻を関連付けて格納するチャートデータベースと、
前記チャートデータベースに格納されたＭＡＣＤの商品の値とシグナルの商品の値との乖離を第１の時刻、前記第１の時刻の直前の第２の時刻及び前記第２の時刻の直前の第３の時刻においてそれぞれ算出する手段と、
前記算出された第１の時刻、第２の時刻及び第３の時刻における乖離に基づいて、前記第１の時刻から第２の時刻における乖離の変化がプラスであって、前記第２の時刻から前記第３の時刻における乖離の変化がマイナスであること、或いは前記第１の時刻から第２の時刻における乖離の変化がマイナスであって、前記第２の時刻から前記第３の時刻における乖離の変化がプラスである場合に、前記第１の時刻における売買シグナルを検出する手段と、
前記売買シグナルが検出された場合に、前記チャートの前記第１の時刻の位置に売買シグナルマークを表示する手段と、
前記第２の時刻におけるＭＡＣＤの値に対する前記第１の時刻におけるＭＡＣＤの値の大小を示すＭＡＣＤのトレンドと、前記第２の時刻におけるシグナルの値に対する前記第１の時刻におけるシグナルの値の大小を示すシグナルのトレンドと、前記第１の時刻における前記ＭＡＣＤ及び前記シグナルのゼロラインに対する位置的関係と、売買シグナルを報知するためのメッセージ情報とを関連付けて格納する売買メッセージ情報格納データベースと、
前記売買シグナルが検出された場合における前記ＭＡＣＤのトレンド、前記シグナルのトレンド及び前記ＭＡＣＤ及び前記シグナルのゼロラインに対する位置的関係に対応する売買シグナルを報知するためのメッセージ情報を前記売買メッセージ情報格納データベースから取得する手段と、
この取得された売買シグナルを報知するためのメッセージ情報を表示する手段と
を具備することを特徴とする売買シグナル表示装置。
【請求項２】
ネットワークを介して受信された売買対象となる商品の値、識別情報及び前記商品の値が得られた際の時刻を格納する商品データベースと、
前記商品データベースに格納された商品の値、識別情報及び時刻に基づいて、指定された商品についての商品チャート及び２以上の線からなるテクニカル分析に使用されるチャートを生成する手段と、
前記生成されたチャートの各線における商品の値、識別情報及び前記チャートの各線が生成された商品チャートの対応する商品の値が得られた際の時刻を関連付けて格納するチャートデータベースと、
前記チャートデータベースに格納された商品の値のうち、前記生成されたチャートの第１の時刻における商品の値と、この第１の時刻における商品の値に関連付けられた第１の時刻の直前の第２の時刻に関連付けられた商品の値とをチャートの線毎に比較する手段と、
前記生成されたチャートの前記第１の時刻の位置に前記商品の第１の値と第２の値との比較結果に対応するチャートのトレンドを示すトレンドマークをチャートの線毎に表示する手段と、
前記チャートの線毎の比較結果と、商品の値に関する条件、売買シグナルを報知するためのメッセージ情報とを関連付けて格納する売買メッセージ情報格納データベースと、
前記比較する手段により得られるチャートの線毎の比較結果、第１の時刻における商品の値に対応する売買シグナルを報知するためのメッセージ情報を前記売買メッセージ情報格納データベースから取得する手段と、
この取得された売買シグナルを報知するためのメッセージ情報を表示する手段と
を具備することを特徴とする売買シグナル表示装置。
【請求項３】
前記第１の時刻は、ユーザにより指定されることを特徴とする請求項２記載の売買シグナル表示装置。
【請求項４】
前記第１の時刻は、最新の商品の値が得られた際の時刻であることを特徴とする請求項２記載の売買シグナル表示装置。
【請求項５】
前記チャートは、ボリンジャーバンドであることを特徴とする請求項２記載の売買シグナル表示装置。
【請求項６】
ネットワークを介して受信された売買対象となる商品の値、識別情報及び前記商品の値が得られた際の時刻を格納する商品データベースを具備する売買シグナル表示装置における売買表示方法において、
前記売買シグナル表示装置が、
前記商品データベースに格納された商品の値、識別情報及び時刻に基づいて、指定された商品についての商品チャート及びＭＡＣＤ(Moving Average Convergence Divergence)と、ＭＡＣＤの移動平均線であるシグナルとからなるチャートを生成し、
前記生成されたチャートのＭＡＣＤ及びシグナルにおける商品の値、識別情報及び前記ＭＡＣＤ及びシグナルが生成された商品チャートの対応する商品の値が得られた際の時刻を関連付けてチャートデータベースに格納し、
前記チャートデータベースに格納されたＭＡＣＤの商品の値とシグナルの商品の値との乖離を第１の時刻、前記第１の時刻の直前の第２の時刻及び前記第２の時刻の直前の第３の時刻においてそれぞれ算出し、
前記算出された第１の時刻、第２の時刻及び第３の時刻における乖離に基づいて、前記第１の時刻から第２の時刻における乖離の変化がプラスであって、前記第２の時刻から前記第３の時刻における乖離の変化がマイナスであること、或いは前記第１の時刻から第２の時刻における乖離の変化がマイナスであって、前記第２の時刻から前記第３の時刻における乖離の変化がプラスである場合に、前記第１の時刻における売買シグナルを検出し、
前記売買シグナルが検出された場合に、前記チャートの前記第１の時刻の位置に売買シグナルマークを表示し、
前記売買シグナル表示装置は、さらに、前記第２の時刻におけるＭＡＣＤの値に対する前記第１の時刻におけるＭＡＣＤの値の大小を示すＭＡＣＤのトレンドと、前記第２の時刻におけるシグナルの値に対する前記第１の時刻におけるシグナルの値の大小を示すシグナルのトレンドと、前記第１の時刻における前記ＭＡＣＤ及び前記シグナルのゼロラインに対する位置的関係と、売買シグナルを報知するためのメッセージ情報とを関連付けて格納する売買メッセージ情報格納データベースを具備し、
前記売買シグナル表示装置が、
前記売買シグナルが検出された場合における前記ＭＡＣＤのトレンド、前記シグナルのトレンド及び前記ＭＡＣＤ及び前記シグナルのゼロラインに対する位置的関係に対応する売買シグナルを報知するためのメッセージ情報を前記売買メッセージ情報格納データベースから取得し、
この取得された売買シグナルを報知するためのメッセージ情報を表示することを特徴とする売買シグナル表示方法。
【請求項７】
前記チャートは、ボリンジャーバンドであることを特徴とする請求項６記載の売買シグナル表示方法。
【請求項８】
ネットワークを介して受信された売買対象となる商品の値、識別情報及び前記商品の値が得られた際の時刻を格納する商品データベースを具備する売買シグナル表示装置において使用される売買シグナル表示プログラムにおいて、
前記売買シグナル表示プログラムが、前記売買シグナル表示装置に、
前記商品データベースに格納された商品の値、識別情報及び時刻に基づいて、指定された商品についての商品チャート及びＭＡＣＤ(Moving Average Convergence Divergence)と、ＭＡＣＤの移動平均線であるシグナルとからなるチャートを生成させ、
前記生成されたチャートのＭＡＣＤ及びシグナルにおける商品の値、識別情報及び前記ＭＡＣＤ及びシグナルが生成された商品チャートの対応する商品の値が得られた際の時刻を関連付けてチャートデータベースに格納させ、
前記チャートデータベースに格納されたＭＡＣＤの商品の値とシグナルの商品の値との乖離を第１の時刻、前記第１の時刻の直前の第２の時刻及び前記第２の時刻の直前の第３の時刻においてそれぞれ算出させ、
前記算出された第１の時刻、第２の時刻及び第３の時刻における乖離に基づいて、前記第１の時刻から第２の時刻における乖離の変化がプラスであって、前記第２の時刻から前記第３の時刻における乖離の変化がマイナスであること、或いは前記第１の時刻から第２の時刻における乖離の変化がマイナスであって、前記第２の時刻から前記第３の時刻における乖離の変化がプラスである場合に、前記第１の時刻における売買シグナルを検出させ、
前記売買シグナルが検出された場合に、前記チャートの前記第１の時刻の位置に売買シグナルマークを表示させ、
前記売買シグナル表示装置は、さらに、前記第２の時刻におけるＭＡＣＤの値に対する前記第１の時刻におけるＭＡＣＤの値の大小を示すＭＡＣＤのトレンドと、前記第２の時刻におけるシグナルの値に対する前記第１の時刻におけるシグナルの値の大小を示すシグナルのトレンドと、前記第１の時刻における前記ＭＡＣＤ及び前記シグナルのゼロラインに対する位置的関係と、売買シグナルを報知するためのメッセージ情報とを関連付けて格納する売買メッセージ情報格納データベースを具備し、
前記売買シグナル表示装置が、前記売買シグナル表示装置に、
前記売買シグナルが検出された場合における前記ＭＡＣＤのトレンド、前記シグナルのトレンド及び前記ＭＡＣＤ及び前記シグナルのゼロラインに対する位置的関係に対応する売買シグナルを報知するためのメッセージ情報を前記売買メッセージ情報格納データベースから取得させ、
この取得された売買シグナルを報知するためのメッセージ情報を表示させることを特徴とする売買シグナル表示プログラム。
【請求項９】
前記チャートは、ボリンジャーバンドであることを特徴とする請求項８記載の売買シグナル表示プログラム。
【発明の詳細な説明】
【技術分野】
【０００１】
本発明は、株式、為替などを含む売買対象となる商品の売買タイミングを表示する売買シグナル表示装置に関する。
【背景技術】
【０００２】
株式の売買に際し、株式の値を示すチャートの他に、テクニカル分析を行なうために種々のテクニカル指標が使用されている。このようなテクニカル指標としては、例えば、移動平均線、ボリンジャーバンド、ＭＡＣＤ(Moving Average Convergence Divergence)などがある。
【０００３】
「移動平均線」は株価の一定期間の平均値を連続的に計算し、プロットしたものであり、「ボリンジャーバンド」は移動平均を表わす線を中心に、その上下にボラティリティを基にした最大変動幅を示す線であり、「ＭＡＣＤ」は２本の平滑移動平均（ＥＭＡ）を基に算出される線であり、ＭＡＣＤと、その移動平均線であるシグナルとで構成される。
【発明の開示】
【発明が解決しようとする課題】
【０００４】
しかしながら、従来のテクニカル分析においては、単に、上記テクニカル指標の線を表示するだけであり、売買タイミングは目視によるため、正確な売買タイミングを迅速に表示することができなかった。
【０００５】
本発明は、上記実情に鑑みてなされたものであり、ユーザに売買タイミングに関する情報を迅速にかつ分かり易く提供することができる売買シグナル表示装置を提供することを目的とする。
【課題を解決するための手段】
【０００６】
本発明の第１の発明によれば、ネットワークを介して受信された売買対象となる商品の値、識別情報及び前記商品の値が得られた際の時刻を格納する商品データベースと、前記商品データベースに格納された商品の値、識別情報及び時刻に基づいて、指定された商品についての商品チャート及びＭＡＣＤ(Moving Average Convergence Divergence)と、ＭＡＣＤの移動平均線であるシグナルとからなるチャートを生成する手段と、前記生成されたチャートのＭＡＣＤ及びシグナルにおける商品の値、識別情報及び前記ＭＡＣＤ及びシグナルが生成された商品チャートの対応する商品の値が得られた際の時刻を関連付けて格納するチャートデータベースと、前記チャートデータベースに格納されたＭＡＣＤの商品の値とシグナルの商品の値との乖離を第１の時刻、前記第１の時刻の直前の第２の時刻及び前記第２の時刻の直前の第３の時刻においてそれぞれ算出する手段と、前記算出された第１の時刻、第２の時刻及び第３の時刻における乖離に基づいて、前記第１の時刻から第２の時刻における乖離の変化がプラスであって、前記第２の時刻から前記第３の時刻における乖離の変化がマイナスであること、或いは前記第１の時刻から第２の時刻における乖離の変化がマイナスであって、前記第２の時刻から前記第３の時刻における乖離の変化がプラスである場合に、前記第１の時刻における売買シグナルを検出する手段と、前記売買シグナルが検出された場合に、前記チャートの前記第１の時刻の位置に売買シグナルマークを表示する手段と、前記第２の時刻におけるＭＡＣＤの値に対する前記第１の時刻におけるＭＡＣＤの値の大小を示すＭＡＣＤのトレンドと、前記第２の時刻におけるシグナルの値に対する前記第１の時刻におけるシグナルの値の大小を示すシグナルのトレンドと、前記第１の時刻における前記ＭＡＣＤ及び前記シグナルのゼロラインに対する位置的関係と、売買シグナルを報知するためのメッセージ情報とを関連付けて格納する売買メッセージ情報格納データベースと、前記売買シグナルが検出された場合における前記ＭＡＣＤのトレンド、前記シグナルのトレンド及び前記ＭＡＣＤ及び前記シグナルのゼロラインに対する位置的関係に対応する売買シグナルを報知するためのメッセージ情報を前記売買メッセージ情報格納データベースから取得する手段と、この取得された売買シグナルを報知するためのメッセージ情報を表示する手段とを具備することを特徴とする売買シグナル表示装置、である。
【０００７】
本発明の第２の発明によれば、ネットワークを介して受信された売買対象となる商品の値、識別情報及び前記商品の値が得られた際の時刻を格納する商品データベースと、前記商品データベースに格納された商品の値、識別情報及び時刻に基づいて、指定された商品についての商品チャート及び２以上の線からなるテクニカル分析に使用されるチャートを生成する手段と、前記生成されたチャートの各線における商品の値、識別情報及び前記チャートの各線が生成された商品チャートの対応する商品の値が得られた際の時刻を関連付けて格納するチャートデータベースと、前記チャートデータベースに格納された商品の値のうち、前記生成されたチャートの第１の時刻における商品の値と、この第１の時刻における商品の値に関連付けられた第１の時刻の直前の第２の時刻に関連付けられた商品の値とをチャートの線毎に比較する手段と、前記生成されたチャートの前記第１の時刻の位置に前記商品の第１の値と第２の値との比較結果に対応するチャートのトレンドを示すトレンドマークをチャートの線毎に表示する手段と、前記チャートの線毎の比較結果と、商品の値に関する条件、売買シグナルを報知するためのメッセージ情報とを関連付けて格納する売買メッセージ情報格納データベースと、前記比較する手段により得られるチャートの線毎の比較結果、第１の時刻における商品の値に対応する売買シグナルを報知するためのメッセージ情報を前記売買メッセージ情報格納データベースから取得する手段と、この取得された売買シグナルを報知するためのメッセージ情報を表示する手段とを具備することを特徴とする売買シグナル表示装置、である。
【発明の効果】
【００１０】
本発明によれば、ユーザに売買タイミングに関する情報を迅速にかつ分かり易く提供することができる売買シグナル表示装置を提供することができる。
【発明を実施するための最良の形態】
【００１１】
以下、図面を参照して本発明の実施の形態に係る売買シグナル表示装置について説明する。
【００１２】
図１は、本発明の実施の形態に係る売買シグナル表示装置が使用される売買シグナル表示システムを示す図である。
【００１３】
同図に示すように、売買シグナル表示システムは、ユーザコンピュータ１、売買情報提供サーバ２、ポータルサイトサーバ（補助サーバ）３及び株式情報提供サーバ４を具備しており、互いにネットワークを介して接続されている。
【００１４】
ユーザコンピュータ１は、本発明の実施の形態に係る売買シグナル表示装置としての機能を有するものである。この売買シグナル表示機能は、売買情報提供サーバ２からダウンロードすることにより得られる売買シグナル表示プログラムにより実現される。
【００１５】
売買シグナル表示プログラムは、売買情報提供サーバ２のＷＥＢサーバ２ａが提供するサイトにログインを行ない、このサイトにおいて売買シグナル表示プログラムのダウンロードを選択することにより取得される。ユーザコンピュータ１は、売買シグナル表示プログラムを実行すると、株式情報(株価、銘柄コード、時刻）を売買情報提供サーバ２或いはポータルサイトサーバ３から取得する。
【００１６】
売買情報提供サーバ２は、ＷＥＢサーバ２ａ及びＤＢ（データベース）サーバ２ｂを有している。ＷＥＢサーバ２ａは、ユーザに対して株式の売買情報を提供するサイトを提供する。このサイトは、売買シグナル表示プログラムのダウンロードを行なうためのページや、ユーザに株式の売買に関する情報を提供するページなどが含まれている。
【００１７】
ＤＢサーバ２ｂは、株式情報提供サーバ４から提供される株式情報を格納する。この格納された株式情報は、ＷＥＢサーバ２ａを介してユーザコンピュータ１に送られる。
【００１８】
ポータルサイトサーバ３は、売買情報提供サーバ２から株式情報を何らかの原因で送れない場合に、ユーザコンピュータ１に株式情報を提供する補助サーバとしての役割を有する。なお、本実施の形態においては、ポータルサイトのサーバを例に取り説明しているが、株式情報を提供可能なものであれば、これに限られるものではない。
【００１９】
株式情報提供サーバ４は、株式取引市場の株式情報を管理するサーバであって、本実施の形態においては、売買情報提供サーバ２及びポータルサイトサーバ３に株式情報を提供する。この株式情報提供サーバ４は、例えば、東京証券取引所のサーバーコンピュータなどである。
【００２０】
図２は、ユーザコンピュータの構成を示す図である。
【００２１】
同図に示すように、ユーザコンピュータ１は、バス１１にＣＰＵ１２、通信部１３、表示部１４、メモリ１５及び記憶装置１６が接続されている。
【００２２】
ＣＰＵ１２は、記憶装置１６に記憶された売買シグナル表示プログラム２1と協働して、本発明の実施の形態に係る売買シグナル表示処理を行なう他、ユーザコンピュータ１全体の制御を司るものである。
【００２３】
通信部１３は、ネットワークを介した外部装置との通信の制御を司り、本実施の形態においては、売買情報提供サーバ２或いはポータルサイトサーバ３からの株式情報の受信、売買情報提供サーバ２からの売買シグナル表示プログラム２１の受信などを行なうものである。
【００２４】
表示部１４は、売買シグナル表示処理に関する結果などを表示するものであり、例えば、液晶ディスプレイ、プラズマディスプレイなどの表示装置である。
【００２５】
メモリ１５は、売買シグナル表示プログラム２１を実行する際に必要とされるワークエリアなどとして使用される。
【００２６】
記憶装置１６は、売買シグナル表示処理に必要とされるプログラム、データを格納するためのものであり、例えば、ハードディスクドライブ（ＨＤＤ）である。この記憶装置１６には、売買シグナル表示プログラム２１、ＯＳ（オペレーティングシステム）２２、ｋ株価ＤＢ２３、チャートＤＢ２４及び売買メッセージ情報格納ＤＢ２５を有している。
【００２７】
売買シグナル表示プログラム２１は、売買情報提供サーバ２からダウンロードされ、ＯＳ２２上で動作するアプリケーションプログラムであって、ＣＰＵ１２と協働して、本発明の実施の形態に係る売買シグナル表示処理を実現するものであり、図８及び図１１に示すフローチャートの処理を実現するものである。
【００２８】
株価ＤＢ２３は、図３に示すように、売買情報提供サーバ２或いはポータルサイトサーバ３から提供される株式情報を格納するものであり、銘柄コード、株価３２及び株価が得られた際の時刻３３が少なくとも関連付けて格納される。
【００２９】
なお、図３においては、５分毎に株式情報を取得し、この取得した株式情報が株価ＤＢ２３に格納されている場合を示しているが、これに限られるものではない。例えば、前日の終値のみを取得して株価ＤＢ２３に格納しても良いし、さらに、狭い間隔（例えば、１０秒毎）で株式情報を取得し株価ＤＢ２３に格納しても良く、これらは、売買シグナル表示プログラム２１の設定により任意に設定することができる。また、株価ＤＢ２３に格納されるデータはこれらに限られるものではなく、株式情報提供サーバ４が提供する他の情報が格納されていても良い。
【００３０】
チャートＤＢ２４は、株価ＤＢ２３に格納された株式情報から公知の手法で生成されるチャートのデータを格納するものである。図４は、生成されたＭＡＣＤのデータの一例を示す図であり、図５（ａ）（ｂ）は、生成されたボリンジャーバンドのデータの一例を示す図である。
【００３１】
図４においては、株式のコード４０、ＭＡＣＤチャートを構成する線であるＭＡＣＤの値４１及びシグナルの値４２、これらＭＡＣＤ及びシグナルの値が生成された株式チャートの対応する株式の値が得られた際の時刻４３が互いに関連付けられて記憶される。
【００３２】
図５（ａ）においては、株式のコード５０、ボリンジャーバンドを構成する上バンドの値５１、及び下バンドの値５２、これら上バンド及び下バンドの値が生成された株式チャートの対応する株式の値が得られた際の時刻５３が互いに関連付けられて記憶される。
【００３３】
なお、ボリンジャーバンドのバンドは、２つに限られないことはいうまでもない。例えば、＋２σ、＋σ、ＴＰ(Typical Price)、−σ、−２σの５本の線が生成される場合には、図５（ｂ）に示すように、これら５本のボリンジャーバンドの値及びこれら５本のボリンジャーバンドが生成された株式チャートの対応する株式の値が得られた際の時刻が互いに関連付けられて記憶される。
【００３４】
売買メッセージ情報格納部ＤＢ２５は、売買メッセージを表示するための条件と、売買メッセージとを関連付けて記憶するテーブルを格納する。図６はＭＡＣＤの売買メッセージ情報格納ＤＢを示す図であり、図７はボリンジャーバンドの売買メッセージ情報格納ＤＢを示す図である。
【００３５】
図６に示すように、ＭＡＣＤの売買メッセージ情報格納ＤＢ２５には、ＭＡＣＤトレンド６０、シグナルトレンド６１、ＭＡＣＤの値及びシグナルの値のゼロラインに対する状態６２及び売買メッセージ６３が互いに関連付けて記憶されている。
【００３６】
なお、ここで「ゼロライン」とはトレンドレス（無トレンド）状態を意味し、ＭＡＣＤの２本の平滑移動平均線の差分を１つの線にしたものである。したがって、ＭＡＣＤがゼロライン上にあるということは、２本の移動平均線の値に差分が無いことを示している。差分が無いということは、任意の期間内で株価が変動していないことになる。したがって、ＭＡＣＤがゼロライン上にある場合は、トレンドレス状態を示している。
【００３７】
ＭＡＣＤトレンド６０は、対象となる時刻（第１の時刻）の直前に取得された時刻（第２の時刻）におけるＭＡＣＤの値に対する対象となる時刻に取得されたＭＡＣＤの値の大小を示すものであり、大きい場合には「△」、小さい場合には「▽」で示している。なお、変わらない場合には「○」とする。
【００３８】
例えば、株式の値を前日の終値のみを取得するように設定されている場合には、ＭＡＣＤの値の前日比がプラスの場合には「△」、マイナスの場合には「▽」、変わらない場合には「○」となる。
【００３９】
シグナルトレンド６１は、対象となる時刻（第１の時刻）の直前に取得された時刻（第２の時刻）におけるシグナルの値に対する対象となる時刻に取得されたシグナルの値の大小を示すものであり、大きい場合には「△」、小さい場合には「▽」、変わらない場合には「○」で示している。
【００４０】
例えば、株式の値を前日の終値のみを取得するように設定されている場合には、シグナルの値の前日比がプラスの場合には「△」、マイナスの場合には「▽」となる。
【００４１】
対ゼロライン６２は、対象となる時刻のＭＡＣＤの値及びシグナルの値がＭＡＣＤチャートのゼロラインよりも上にあるか、下にあるかの条件を示している。
【００４２】
図６においては、対象時刻におけるＭＡＣＤトレンドが「▽」、シグナルトレンドが「▽」の場合に、ＭＡＣＤの値及びシグナルの値が対ゼロラインよりも「上」にあることが条件として関連付けられ、メッセージ「ストロングバイ」（強い新規買いシグナル）がさらに関連付けられている。
【００４３】
対象時刻におけるＭＡＣＤトレンドが「△」、シグナルトレンドが「△」の場合に、ＭＡＣＤの値及びシグナルの値が対ゼロラインよりも「下」にあることが条件として関連付けられ、メッセージ「ストロングセル」（強い新規売りシグナル）がさらに関連付けられている。
【００４４】
対象時刻におけるＭＡＣＤトレンドが「▽」、シグナルトレンドが「▽」の場合に、ＭＡＣＤの値及びシグナルの値が対ゼロラインよりも「下」にあることが条件として関連付けられ、メッセージ「ショートカバー」（弱い新規買いシグナル）がさらに関連付けられている。
【００４５】
対象時刻におけるＭＡＣＤトレンドが「△」、シグナルトレンドが「△」の場合に、ＭＡＣＤの値及びシグナルの値が対ゼロラインよりも「上」にあることが条件として関連付けられ、メッセージ「利益確定売り」（弱い売りシグナル）がさらに関連付けられている。
【００４６】
図７は、ボリンジャーバンドの売買メッセージ情報格納ＤＢ２５を示している。同図においては、５本のボリンジャーバンド（＋２σ、＋σ、ＴＰ、−σ、−２σ）の例を示している。
【００４７】
同図に示すように、各ボリンジャーバンド（＋２σ、＋σ、ＴＰ、−σ、−２σ）のトレンド７０〜７４、株価に対する条件７５、メッセージ７６が互いに関連付けて記憶されている。
【００４８】
各ボリンジャーバンドのトレンド７０〜７４では、図６において説明した場合と同様に、変化がプラスの場合には「△」、マイナスの場合には「▽」となる。変わらない場合には「○」とする。なお、「any」はプラス、マイナス、変化なしのいずれでも良いことを示している。
【００４９】
また、「▽→△」はマイナスからプラスに変化した時を意味し、「△→▽」は変化がプラスからマイナスに変化した時を意味する。「△or▽」は変化がプラス、マイナスのいずれでも良いことを示す。
【００５０】
例えば、株式の値を前日の終値のみを取得するように設定されている場合には、各ボリンジャーバンドの値の対応するボリンジャーバンドの前日比がプラスの場合には「△」、マイナスの場合には「▽」となる。
【００５１】
条件７５は、株価に対する条件を規定するものである。
【００５２】
図７においては、例えば、ボリンジャーバンドのトレンド７０〜７４がそれぞれ「△、△、△、▽、▽」である場合に、株価の条件７５として、(株価）≧＋２σが関連付けられ、さらに、メッセージとして「ストロングバイ」が関連付けられている。
【００５３】
ボリンジャーバンドのトレンド７０〜７４がそれぞれ「△、△、▽、▽、▽」である場合に、株価の条件７５として、(株価）≦−２σが関連付けられ、さらに、メッセージとして「ストロングセル」が関連付けられている。
【００５４】
ボリンジャーバンドのトレンド７０〜７４がそれぞれ「△、△、△、△or▽、△or▽」である場合に、株価の条件７５として、(株価）＞ＴＰが関連付けられ、さらに、メッセージとして「バイ」が関連付けられている。
【００５５】
ボリンジャーバンドのトレンド７０〜７４がそれぞれ「any、any、any、any、▽→△」である場合に、株価の条件７５として、(株価）≧＋２σ及び終値が前日比プラスであることが関連付けられ、さらに、メッセージとして「バイ」が関連付けられている。
【００５６】
ボリンジャーバンドのトレンド７０〜７４がそれぞれ「▽、▽、▽、△or▽、△or▽」である場合に、株価の条件７５として、(株価）＜ＴＰが関連付けられ、さらに、メッセージとして「セル」が関連付けられている。
【００５７】
ボリンジャーバンドのトレンド７０〜７４がそれぞれ「△→▽、any、any、any、any」である場合に、株価の条件７５として、(株価）≦＋２σ、かつ終値が前日比マイナスが関連付けられ、さらに、メッセージとして「セル」が関連付けられている。
【００５８】
ボリンジャーバンドのトレンド７０〜７４がそれぞれ「▽、any、△、△、△」である場合に、株価の条件７５として、(株価）＞ＴＩＰが関連付けられ、さらに、メッセージとして「ショートカバー」が関連付けられている。
【００５９】
ボリンジャーバンドのトレンド７０〜７４がそれぞれ「△、△、△、any、any」である場合に、株価の条件７５として、(株価）≦＋２σ、かつ前日の安値を更新が関連付けられ、さらに、メッセージとして「利益確定売り」が関連付けられている。
【００６０】
まず、最初に、ＭＡＣＤの場合の売買シグナル表示装置の動作について、図８のフローチャートを参照して説明する。
【００６１】
売買シグナル表示プログラム２１が売買情報提供サーバ２からダウンロードされ、実行されると、売買情報提供サーバ２から株式情報を受信可能か否かの判断を行なう（Ｓ１）。Ｓ１において、株式情報を受信可能と判断された場合には、売買情報提供サーバ２から株式情報を受信する（Ｓ２）。一方、Ｓ１において、株式情報を受信可能ではないと判断された場合には、ポータルサイトサーバ３から株式情報を受信する（Ｓ３）。
【００６２】
Ｓ２或いはＳ３において株式情報を受信した後、公知の手法により、受信した株式情報に基づいて、ユーザにより指定された売買シグナル表示の対象となる株式のチャート及びＭＡＣＤチャートの生成及び表示処理が行なわれる（Ｓ４）。
【００６３】
次に、チャートデータベース２４に格納されたユーザにより指定された株式のＭＡＣＤの商品の値とシグナルの商品の値との乖離を対象となる時刻（第１の時刻）、対象となる時刻（第１の時刻）の直前の時刻（第２の時刻）及び第２の時刻の直前の時刻（第３の時刻）においてそれぞれ算出する（Ｓ５）。
【００６４】
ここで、「第１の時刻」とは売買シグナル表示処理の対象となっている時刻であり、予め定められた時刻、或いはユーザにより指定された時刻である。例えば、「予め定められた時刻」としては、売買シグナル表示システムがリアルタイムトレードにおいて使用されている場合には、最新の株式情報を取得した時刻が対象となる。「ユーザにより指定された時刻」としては、マウスなどの入力ポインタのチャート上の位置によって定まる時刻などがある。
【００６５】
次に、算出された第１の時刻、第２の時刻及び第３の時刻における乖離に基づいて、第１の時刻における売買シグナルが検出されたか否かの判断が行なわれる（Ｓ６）。
【００６６】
Ｓ６における売買シグナルの検出は、具体的には、以下のように判断される。
【００６７】
すなわち、売買シグナルの検出は、乖離の変化がプラスからマイナスに変化した場合、或いはマイナスからプラスに変化した場合に検出される。例えば、図９に示すように、乖離が＋５→＋１０（第３の時刻）→＋１５（第２の時刻）→＋１２（第１の時刻）のように変化している場合、第３の時刻から第２の時刻の乖離の変化はプラスであるのに対して、第２の時刻から第１の時刻の乖離の変化はマイナスとなる。この場合には、第１の時刻において売りシグナルが検出される。
【００６８】
一方、図１０に示すように、乖離が＋３→−７（第３の時刻）→−１２（第２の時刻）→−２（第１の時刻）→＋５のように変化している場合、第３の時刻から第２の時刻の乖離の変化はマイナスであるのに対して、第２の時刻から第１の時刻の乖離の変化はプラスとなる。この場合には、第１の時刻において買いシグナルが検出される。
【００６９】
なお、売買シグナルの検出方法は種々設定することができる。上述の例では、単に、乖離のトレンドの変化を検出する場合、について説明したが、例えば、乖離のプラス或いはマイナスの変化が数回連続していることを条件としても良い。
【００７０】
Ｓ６において、買いシグナル或いは売りシグナルが検出されない場合にはＳ１の処理に戻る。検出された場合には、Ｓ７において売買シグナルマークを表示する（Ｓ７）。
【００７１】
ここで、乖離のプラスからマイナスの変化が検出された場合には、ＭＡＣＤチャートの第１の時刻の点に売シグナルマーク「▽」を、乖離のマイナスからプラスの変化が検出された場合には、ＭＡＣＤチャートの第１の時刻の点に買シグナルマーク「△」を表示する。図１２は、ＭＡＣＤチャートに売買シグナルを表示した例を示す図である。同図においては、ゼロラインを挟んでプラス乖離を上向きの棒線で表わし、マイナス乖離を下向きの棒線で表わしている。なお、表示期間中の最大値などが分かるように色を変えて表示しても良い。
【００７２】
次に、第１の時刻におけるＭＡＣＤチャートのＭＡＣＤのトレンド、シグナルトレンド及びゼロラインに対する位置的関係を取得する（Ｓ８）。ここで、「ＭＡＣＤのトレンド」の取得は第２の時刻におけるＭＡＣＤの値に対する第１の時刻におけるＭＡＣＤの値の大小を取得し、「シグナルトレンド」の取得は第２の時刻におけるシグナルの値に対する第１の時刻におけるシグナルの値の大小を取得するものである。対ゼロラインに対する位置的関係は、対象となる時刻のＭＡＣＤの値及びシグナルの値がＭＡＣＤチャートのゼロラインよりも上にあるか、下にあるかを取得する。
【００７３】
次に、Ｓ８において取得された第１の時刻におけるＭＡＣＤチャートのＭＡＣＤのトレンド、シグナルトレンド及びゼロラインに対する位置的関係に基づいて、ＭＡＣＤ用の売買メッセージ情報格納ＤＢ２５を検索して、対応するメッセージがあるか否かを判断する（Ｓ９）。
【００７４】
Ｓ９において対応するメッセージがない場合にはＳ１の処理に戻り、メッセージがある場合には、対応するメッセージをＭＡＣＤ用の売買メッセージ情報格納ＤＢ２５から取得して表示し（Ｓ１０）、Ｓ１の処理に戻る。
【００７５】
なお、ダイバージェンス及びコンバージェンスが発生した場合にも売買シグナルを表示しても良い。ここで、ダイバージェンスとは株価が高値を更新しているにもかかわらず、ＭＡＣＤやＲＳＩなどのオシレータ系チャートの上昇が止まること（逆行現象）をいう。具体的には、ＭＡＣＤやＲＳＩの直近の最大値を超えられず、上昇から下落に反転することをいう。また、コンバージェンスとは株価が安値を更新しているにもかかわらず、ＭＡＣＤやＲＳＩなどのオシレータ系チャートの下落が止まること（逆行現象）をいう。具体的には、ＭＡＣＤやＲＳＩの直近の最小値を割らず、下落から上昇に反転することをいう。
【００７６】
次に、ボリンジャーバンドの場合の売買シグナル表示装置の動作について、図１１のフローチャートを参照して説明する。
【００７７】
売買シグナル表示プログラム２１が売買情報提供サーバ２からダウンロードされ、実行されると、売買情報提供サーバ２から株式情報を受信可能か否かの判断を行なう（Ｓ２１）。Ｓ２１において、株式情報を受信可能と判断された場合には、売買情報提供サーバ２から株式情報を受信する（Ｓ２２）。一方、Ｓ２１において、株式情報を受信可能ではないと判断された場合には、ポータルサイトサーバ２３から株式情報を受信する（Ｓ２３）。
【００７８】
Ｓ２２或いはＳ２３において株式情報を受信した後、公知の手法により、受信した株式情報に基づいて、ユーザにより指定された売買シグナル表示の対象となる株式のチャート及びボリンジャーバンドの生成及び表示処理が行なわれる（Ｓ２４）。
【００７９】
次に、第１の時刻における各ボリンジャーバンドの値と、第２の時刻における各ボリンジャーバンドの値とを比較する（Ｓ２５）。具体的には、第２の時刻における各ボリンジャーバンドの値に対する第１の時刻における各ボリンジャーバンドの値の大小をそれぞれ決定する。
【００８０】
そして、Ｓ２５における比較結果に基づいて、各ボリンジャーバンドにトレンドを示すトレンドマークを表示する（Ｓ２６）。具体的には、第１の時刻におけるボリンジャーバンドの値が第２の時刻におけるボリンジャーバンドの値よりも大きい場合には、トレンドマーク「△」を対応するボリンジャーバンドの第１の時刻の点上に表示し、第１の時刻におけるボリンジャーバンドの値が第２の時刻におけるボリンジャーバンドの値よりも小さい場合には、トレンドマーク「▽」を対応するボリンジャーバンドの第１の時刻の点上に表示する。図１３は、ボリンジャーバンドにトレンドマークを表示した例を示す図である。なお、表示期間中の最大値などが分かるように色を変えて表示しても良い。
【００８１】
次に、Ｓ２５において得られた各ボリンジャーバンドの比較結果に基づいて、ボリンジャーバンド用の売買メッセージ情報格納ＤＢ２５を検索して、対応するメッセージがあるか否かを判断する（Ｓ２７）。
【００８２】
Ｓ２７において対応するメッセージがない場合にはＳ２１の処理に戻り、メッセージがある場合には、対応するメッセージをボリンジャーバンド用の売買メッセージ情報格納ＤＢ２５から取得して表示し（Ｓ２８）、Ｓ２１の処理に戻る。
【００８３】
通常ＭＡＣＤチャートにおける売買シグナルは、ＭＡＣＤとシグナルのクロスを売買シグナルとするのが一般的であるが、この手法によると売買タイミングが遅れてしまう。
【００８４】
本発明の実施の形態によれば、ＭＡＣＤなどのチャートの乖離に着目し、表示することによって、売買のタイミングをユーザが迅速に知ることができる。また、ボリンジャーバンドでは、ボリンジャーバンドを構成する各バンドそれぞれに▽及び△を表示することによって、それぞれのバンドがどちらに向いているのかが一目瞭然となる。仮に、長期の横ばいから＋２σに△が出現したとすると、ユーザは上昇トレンドが発生したことを迅速に知ることができる。
【００８５】
また、本発明の実施の形態によれば、さらに、ＭＡＣＤの売買シグナル或いはボリンジャーバンドのトレンドマークの組み合わせ及び条件が合致した場合に、対応する売買メッセージを表示することができるので、さらに、ユーザは売買タイミングを迅速に知ることができる。
【００８６】
本実施の形態においては、株式を例に取り説明したが、売買の対象となるものであれば適用することがきる。例えば、為替取引、商品取引などテクニカル指標にチャートが使用されるものであれば、本発明を適用することが可能である。
【００８７】
本実施の形態においては、売買シグナルに関する場合について説明したが、銘柄選択のためのスクリーニングに本発明を適用しても良い。また、本実施の形態は、ＲＣＩ（順位相関指数）、ストキャスティクスなどのオシレータ系チャートにも適用することができることは言うまでもない。
【００８８】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００８９】
また、実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
以下の記載は、出願当初の特許請求の範囲の記載と実質的に一致するものである。
［１］
ネットワークを介して受信された売買対象となる商品の値、識別情報及び前記商品の値が得られた際の時刻を格納する商品データベースと、
前記商品データベースに格納された商品の値、識別情報及び時刻に基づいて、指定された商品についての商品チャート及びＭＡＣＤ(Moving Average Convergence Divergence)と、ＭＡＣＤの移動平均線であるシグナルとからなるチャートを生成する手段と、
前記生成されたチャートのＭＡＣＤ及びシグナルにおける商品の値、識別情報及び前記ＭＡＣＤ及びシグナルが生成された商品チャートの対応する商品の値が得られた際の時刻を関連付けて格納するチャートデータベースと、
前記チャートデータベースに格納されたＭＡＣＤの商品の値とシグナルの商品の値との乖離を第１の時刻、前記第１の時刻の直前の第２の時刻及び前記第２の時刻の直前の第３の時刻においてそれぞれ算出する手段と、
前記算出された第１の時刻、第２の時刻及び第３の時刻における乖離に基づいて、前記第１の時刻から第２の時刻における乖離の変化がプラスであって、前記第２の時刻から前記第３の時刻における乖離の変化がマイナスであること、或いは前記第１の時刻から第２の時刻における乖離の変化がマイナスであって、前記第２の時刻から前記第３の時刻における乖離の変化がプラスである場合に、前記第１の時刻における売買シグナルを検出する手段と、
前記売買シグナルが検出された場合に、前記チャートの前記第１の時刻の位置に売買シグナルマークを表示する手段と
を具備することを特徴とする売買シグナル表示装置。
［２］
ネットワークを介して受信された売買対象となる商品の値、識別情報及び前記商品の値が得られた際の時刻を格納する商品データベースと、
前記商品データベースに格納された商品の値、識別情報及び時刻に基づいて、指定された商品についての商品チャート及び２以上の線からなるテクニカル分析に使用されるチャートを生成する手段と、
前記生成されたチャートの各線における商品の値、識別情報及び前記チャートの各線が生成された商品チャートの対応する商品の値が得られた際の時刻を関連付けて格納するチャートデータベースと、
前記チャートデータベースに格納された商品の値のうち、前記生成されたチャートの第１の時刻における商品の値と、この第１の時刻における商品の値に関連付けられた第１の時刻の直前の第２の時刻に関連付けられた商品の値とをチャートの線毎に比較する手段と、
前記生成されたチャートの前記第１の時刻の位置に前記商品の第１の値と第２の値との比較結果に対応するチャートのトレンドを示すトレンドマークをチャートの線毎に表示する手段と
を具備することを特徴とする売買シグナル表示装置。
［３］
前記第２の時刻におけるＭＡＣＤの値に対する前記第１の時刻におけるＭＡＣＤの値の大小を示すＭＡＣＤのトレンドと、前記第２の時刻におけるシグナルの値に対する前記第１の時刻におけるシグナルの値の大小を示すシグナルのトレンドと、前記第１の時刻における前記ＭＡＣＤ及び前記シグナルのゼロラインに対する位置的関係と、売買シグナルを報知するためのメッセージ情報とを関連付けて格納する売買メッセージ情報格納データベースと、
前記売買シグナルが検出された場合における前記ＭＡＣＤのトレンド、前記シグナルのトレンド及び前記ＭＡＣＤ及び前記シグナルのゼロラインに対する位置的関係に対応する売買シグナルを報知するためのメッセージ情報を前記売買メッセージ情報格納データベースから取得する手段と、
この取得された売買シグナルを報知するためのメッセージ情報を表示する手段と
をさらに具備することを特徴とする［１］記載の売買シグナル表示装置。
［４］
前記チャートの線毎の比較結果と、商品の値に関する条件、売買シグナルを報知するためのメッセージ情報とを関連付けて格納する売買メッセージ情報格納データベースと、
前記比較手段により得られるチャートの線毎の比較結果、第１の時刻における商品の値に対応する売買シグナルを報知するためのメッセージ情報を前記売買メッセージ情報格納データベースから取得する手段と、
この取得された売買シグナルを報知するためのメッセージ情報を表示する手段と
をさらに具備することを特徴とする［２］記載の売買シグナル表示装置。
［５］
前記第１の時刻は、ユーザにより指定されることを特徴とする［１又は［２］記載の売買シグナル表示装置。
［６］
前記第１の時刻は、最新の商品の値が得られた際の時刻であることを特徴とする［１又は［２］記載の売買シグナル表示装置。
［７］
前記チャートは、ボリンジャーバンドであることを特徴とする［２］記載の売買シグナル表示装置。
［８］
ネットワークを介して受信された売買対象となる商品の値、識別情報及び前記商品の値が得られた際の時刻を格納する商品データベースを具備する売買シグナル表示装置における売買表示方法において、
前記売買シグナル表示装置は、
前記商品データベースに格納された商品の値、識別情報及び時刻に基づいて、指定された商品についての商品チャート及びＭＡＣＤ(Moving Average Convergence Divergence)と、ＭＡＣＤの移動平均線であるシグナルとからなるチャートを生成し、
前記生成されたチャートのＭＡＣＤ及びシグナルにおける商品の値、識別情報及び前記ＭＡＣＤ及びシグナルが生成された商品チャートの対応する商品の値が得られた際の時刻を関連付けてチャートデータベースに格納し、
前記チャートデータベースに格納されたＭＡＣＤの商品の値とシグナルの商品の値との乖離を第１の時刻、前記第１の時刻の直前の第２の時刻及び前記第２の時刻の直前の第３の時刻においてそれぞれ算出し、
前記算出された第１の時刻、第２の時刻及び第３の時刻における乖離に基づいて、前記第１の時刻から第２の時刻における乖離の変化がプラスであって、前記第２の時刻から前記第３の時刻における乖離の変化がマイナスであること、或いは前記第１の時刻から第２の時刻における乖離の変化がマイナスであって、前記第２の時刻から前記第３の時刻における乖離の変化がプラスである場合に、前記第１の時刻における売買シグナルを検出し、
前記売買シグナルが検出された場合に、前記チャートの前記第１の時刻の位置に売買シグナルマークを表示することを特徴とする売買シグナル表示方法。
［９］
ネットワークを介して受信された売買対象となる商品の値、識別情報及び前記商品の値が得られた際の時刻を格納する商品データベースを具備する売買シグナル表示装置における売買表示方法において、
前記売買シグナル表示装置は、
前記商品データベースに格納された商品の値、識別情報及び時刻に基づいて、指定された商品についての商品チャート及び２以上の線からなるテクニカル分析に使用されるチャートを生成し、
前記生成されたチャートの各線における商品の値、識別情報及び前記チャートの各線が生成された商品チャートの対応する商品の値が得られた際の時刻を関連付けてチャートデータベースに格納し、
前記チャートデータベースに格納された商品の値のうち、前記生成されたチャートの第１の時刻における商品の値と、この第１の時刻における商品の値に関連付けられた第１の時刻の直前の第２の時刻に関連付けられた商品の値とをチャートの線毎に比較し、
前記生成されたチャートの前記第１の時刻の位置に前記商品の第１の値と第２の値との比較結果に対応するチャートのトレンドを示すトレンドマークをチャートの線毎に表示することを特徴とする売買シグナル表示方法。
［１０］
ネットワークを介して受信された売買対象となる商品の値、識別情報及び前記商品の値が得られた際の時刻を格納する商品データベースを具備する売買シグナル表示装置において使用される売買シグナル表示プログラムにおいて、
前記売買シグナル表示プログラムは、前記売買シグナル表示装置に、
前記商品データベースに格納された商品の値、識別情報及び時刻に基づいて、指定された商品についての商品チャート及びＭＡＣＤ(Moving Average Convergence Divergence)と、ＭＡＣＤの移動平均線であるシグナルとからなるチャートを生成させ、
前記生成されたチャートのＭＡＣＤ及びシグナルにおける商品の値、識別情報及び前記ＭＡＣＤ及びシグナルが生成された商品チャートの対応する商品の値が得られた際の時刻を関連付けてチャートデータベースに格納させ、
前記チャートデータベースに格納されたＭＡＣＤの商品の値とシグナルの商品の値との乖離を第１の時刻、前記第１の時刻の直前の第２の時刻及び前記第２の時刻の直前の第３の時刻においてそれぞれ算出させ、
前記算出された第１の時刻、第２の時刻及び第３の時刻における乖離に基づいて、前記第１の時刻から第２の時刻における乖離の変化がプラスであって、前記第２の時刻から前記第３の時刻における乖離の変化がマイナスであること、或いは前記第１の時刻から第２の時刻における乖離の変化がマイナスであって、前記第２の時刻から前記第３の時刻における乖離の変化がプラスである場合に、前記第１の時刻における売買シグナルを検出させ、
前記売買シグナルが検出された場合に、前記チャートの前記第１の時刻の位置に売買シグナルマークを表示させることを特徴とする売買シグナル表示プログラム。
［１１］
ネットワークを介して受信された売買対象となる商品の値、識別情報及び前記商品の値が得られた際の時刻を格納する商品データベースを具備する売買シグナル表示装置において使用される売買シグナル表示プログラムにおいて、
前記売買シグナル表示プラグラムは、前記売買シグナル表示装置に、
前記商品データベースに格納された商品の値、識別情報及び時刻に基づいて、指定された商品についての商品チャート及び２以上の線からなるテクニカル分析に使用されるチャートを生成させ、
前記生成されたチャートの各線における商品の値、識別情報及び前記チャートの各線が生成された商品チャートの対応する商品の値が得られた際の時刻を関連付けてチャートデータベースに格納させ、
前記チャートデータベースに格納された商品の値のうち、前記生成されたチャートの第１の時刻における商品の値と、この第１の時刻における商品の値に関連付けられた第１の時刻の直前の第２の時刻に関連付けられた商品の値とをチャートの線毎に比較させ、
前記生成されたチャートの前記第１の時刻の位置に前記商品の第１の値と第２の値との比較結果に対応するチャートのトレンドを示すトレンドマークをチャートの線毎に表示させることを特徴とする売買シグナル表示プログラム。
【図面の簡単な説明】
【００９０】
【図１】本発明の実施の形態に係る売買シグナル表示装置が使用される売買シグナル表示システムを示す図である。
【図２】ユーザコンピュータの構成を示す図である。
【図３】株価ＤＢを示す図である。
【図４】生成されたＭＡＣＤのデータの一例を示す図である。
【図５】生成されたボリンジャーバンドのデータの一例を示す図である。
【図６】ＭＡＣＤの売買メッセージ情報格納ＤＢを示す図である。
【図７】ボリンジャーバンドの売買メッセージ情報格納ＤＢを示す図である。
【図８】ＭＡＣＤの場合の売買シグナル表示装置の動作について説明するためのフローチャートである。
【図９】売買シグナルの検出を説明するための図である。
【図１０】売買シグナルの検出を説明するための図である。
【図１１】ボリンジャーバンドの場合の売買シグナル表示装置の動作について説明するためのフローチャートである。
【図１２】ＭＡＣＤチャートに売買シグナルを表示した例を示す図である。
【図１３】ボリンジャーバンドにトレンドマークを表示した例を示す図である。
【符号の説明】
【００９１】
１…ユーザコンピュータ、２…売買情報提供サーバ、３…ポータルサイトサーバ、４…株式情報サーバ、１２…ＣＰＵ、１６…売買シグナル表示プログラム、２３…株価ＤＢ、２４…チャートＤＢ、２５…売買メッセージ情報格納ＤＢ。
【図１】
0005306636.tif 000002
【図２】
0005306636.tif 000003
【図３】
0005306636.tif 000004
【図４】
0005306636.tif 000005
【図５】
0005306636.tif 000006
【図６】
0005306636.tif 000007
【図７】
0005306636.tif 000008
【図８】
0005306636.tif 000009
【図９】
0005306636.tif 000010
【図１０】
0005306636.tif 000011
【図１１】
0005306636.tif 000012
【図１２】
0005306636.tif 000013
【図１３】
0005306636.tif 000014